(57)【要約】【課題】  簡便かつ確実に、カードやタグなどの薄物部材を配送可能な薄物部材配送ラベルを提供する。【課題の解決手段】    薄物部材配送ラベル１は、ラベル基材２にこれを二分するように受領書部５と送り状部６とを設け、受領書部５には受領書７を切り用ミシン目８で分離可能に形成し、ラベル基材２の裏面には受領書７と対応する部分を除いて粘着剤３を設けるとともに、この粘着剤３を剥離紙４で被覆し、この剥離紙４には受領書７より一回り大きく、かつ、周縁には粘着剤３が存在するように保護部１７をスリット１８で区画形成し、この保護部１７の送り状部６側の端縁に沿ってスリット状の挿入口１９を設け、この挿入口１９から薄物部材を挿入して、収納するものである。【選択図】    図３
2005132011.tif 000002
【特許請求の範囲】
【請求項１】
ラベル基材にこれを二分するように受領書部と送り状部とを設け、前記受領書部には受領書を切り用ミシン目で分離可能に形成し、前記ラベル基材の裏面には前記受領書と対応する部分を除いて粘着剤を設けるとともに、この粘着剤を剥離紙で被覆し、この剥離紙には前記受領書より一回り大きく、かつ、周縁には粘着剤が存在するように保護部をスリットで区画形成し、この保護部の前記送り状部側の端縁に沿ってスリット状の挿入口を設けたことを特徴とする薄物部材配送ラベル。
【発明の詳細な説明】
【技術分野】
【０００１】
本発明は、配送ラベルに関し、特に、ＩＣタグやＩＣカードをはじめとする各種タグやカード類の薄物部材を、他の商品とともに送付するのに適した薄物部材配送ラベルに関する。
【背景技術】
【０００２】
従来、タグやカードなどの薄物部材を送付する際には、封書内にポケット状の収納体を設けてここに収納したり、配送伝票の表出面の一部に、配送情報記入部と重ならないように、別途設けた袋状の収納体を接着し、この収納体に薄物部材を収納したうえ、配送伝票を商品の包装容器に貼付しているのが一般的である。
【特許文献１】特開２００３−２８５８４５号公報
【発明の開示】
【発明が解決しようとする課題】
【０００３】
しかしながらこれらの従来例によると、封書による場合は薄物部材の保護は十分な状態で送付できるが、他の商品とともに配送するには、当該商品の包装容器内に封書を収納して配送することになるので、封書としての機能が生かされず、適していない。また、配送伝票を利用した構成の場合は、他の商品とともに配送するには適しているが、配送伝票のほかに別途袋状の収納体を用意して接着しなければならず、手間がかかるとともに、商品配送作業中に薄物部材が収納体の開口部分から飛び出てしまう虞があるという不都合がある。本発明は、これらの不都合を解消して、より簡便に、かつ確実に、薄物部材を他の商品とともに配送可能な、薄物部材配送ラベルを提供することを目的とする。
【課題を解決するための手段】
【０００４】
この目的を達成するため、本発明の請求項１に係る薄物部材配送ラベルは、ラベル基材にこれを二分するように受領書部と送り状部とを設け、前記受領書部には受領書を切り用ミシン目で分離可能に形成し、前記ラベル基材の裏面には前記受領書と対応する部分を除いて粘着剤を設けるとともに、この粘着剤を剥離紙で被覆し、この剥離紙には前記受領書より一回り大きく、かつ、周縁には粘着剤が存在するよう保護部をスリットで区画形成し、この保護部の前記送り状部側の端縁に沿ってスリット状の挿入口を設けたものである。
【発明の効果】
【０００５】
本発明の請求項１に係る薄物部材配送ラベルによれば、ラベル基材と剥離紙の保護部との間に、薄物部材をスリット状の挿入口から挿入、収納し、この保護部を除いて剥離紙を剥離して、商品の包装容器等に薄物部材配送ラベルを貼付することにより、前記スリット状の挿入口は送り状部側に設けているので、挿入口は確実に封鎖された状態となって薄物部材が外部に飛び出る虞はなく、この薄物部材を確実に保護した状態で配送することができ、また、受領書を分離すれば、薄物部材が露出して容易に取り出すことができるという効果を奏する。
【発明を実施するための最良の形態】
【０００６】
以下、本発明の好適な実施形態を添付図面に基づいて説明する。ここにおいて、図１は薄物部材配送ラベルの表面側を示す平面図、図２は同じく裏面側を示す平面図、図３は図１のＡ−Ａ線断面図、図４はカードを収納して包装容器に貼付した状態を示す断面図である。
【０００７】
図１〜図３に示すように、薄物部材配送ラベル１は、ラベル基材２とその裏面に粘着剤３を介して設けた剥離紙４とを備えている。前記ラベル基材２には、これを二分するように受領書部５と送り状部６とを設け、前記受領書部５には受領書７を切り用ミシン目８で分離可能に形成している。そして、前記粘着剤３は、前記受領書７と対応する部分を除いて設けている。
【０００８】
図１に示すように、受領書７の表面には、「受領書」なる表題９の下に、届け先と依頼主と品名とを記入する配送情報記入欄１０を設け、また、年月日記入欄１１、受領印捺印欄１２を設けるほか、伝票番号１３を設けている。一方、送り状部６の表面には、「送り状」なる表題１４の右に、届け先と依頼主と品名とを記入する配送情報記入欄１５を設け、また、前記伝票番号１３と同一の伝票番号１６を設けている。
【０００９】
図２及び図３に示すように、剥離紙４の受領書７と対応する部分には、受領書７より一回り大きく、かつ、周縁には粘着剤３が存在するようにして、保護部１７をスリット１８で区画形成している。また、前記保護部１７の送り状部６側の端縁に沿ってスリット状の挿入口１９を設けている。
【００１０】
本実施形態は以上のように構成したので、配送対象物となる薄物部材、例えばカード２０を、挿入口１９から保護部１７と受領書７との間の収納空間内に挿入し、保護部１７を除いて剥離紙４を剥離したうえ、露出した粘着剤３で、商品を配送する包装容器２１に貼付することにより、カード２０を保護した状態で配送することができる。挿入口１９は送り状６部側に設けているので確実に封鎖され、配送作業中に、カード２０が収納空間内であばれても、前記挿入口１９から飛び出る虞はない。
【００１１】
商品の届け先では、受領書７の受領印捺印欄１２に受領印の捺印を受けた後、切り用ミシン目８を破断して、前記受領書７を分離すると、カード２０が露出して取り出し可能となる。
【００１２】
なお、本発明は上述の実施形態に限定されるものではなく、例えば、受領書部５と送り状部６の位置関係は、送り状部６を上にして受領書部５を下にしてもよいほか、左右に並列的に設けてもよいものである。そして、この位置関係に応じて、保護部１７に設けるスリット状の挿入口１９の位置が決定されることになる。また、薄物部材としてはカード２０のほか、タグなどでもよい。
【図面の簡単な説明】
【００１３】
【図１】薄物部材配送ラベルの表面側を示す平面図。
【図２】薄物部材配送ラベルの裏面側を示す平面図。
【図３】図１のＡ−Ａ線断面図。
【図４】カードを収納して包装容器に貼付した状態を示す断面図。
【符号の説明】
【００１４】
１      薄物部材配送ラベル
２      ラベル基材
３      粘着剤
４      剥離紙
５      受領書部
６      送り状部
７      受領書
８      切り用ミシン目
１７      保護部
１８      スリット
１９      挿入口
２０      カード
【図１】
2005132011.tif 000003
【図２】
2005132011.tif 000004
【図３】
2005132011.tif 000005
【図４】
2005132011.tif 000006